(57)【特許請求の範囲】
【請求項１】
左右に立設した縦枠材と上下複数本の横枠材とでメインフレームを構成し、前記左右の縦枠材と上下の横枠材とで囲われた内側に、上下に配置された上部材と下部材とを有するインナーフレームが配置されており、前記インナーフレームをメインフレームに固定すると共に、インナーフレームの下部材に回動式パネルを起立姿勢から水平姿勢まで姿勢変更させ得るように取り付けている、
という間仕切装置であって、
前記インナーフレームの下部材は、当該下部材の下方に配置された横枠材に上方から嵌まり込んでいる一方、前記インナーフレームを構成する上部材は内部に物品を収納し得るように前向き開口の箱状に形成されており、起立状態の前記回動式パネルによって上部材が塞がれるようになっている、
間仕切装置。
【請求項２】
前記インナーフレームにおけるインナーフレームのうちその下部でかつ手前側の部分に、上向きに突出した下部起立片を設けている、
請求項１に記載した間仕切装置。
【発明の詳細な説明】
【０００１】
【発明の属する技術分野】
本発明は、回動式パネルを備えた間仕切装置に関するものである。
【０００２】
【従来の技術】
間仕切装置に棚板を取付ける場合、一般には、左右の縦枠材（支柱）にブラケットを取り付けて、このブラケットで棚板を支持しているが、これでは一々棚板を用意しておかねばならない不便がある。
【０００３】
そこで、例えば、実開平３−７７３６号公報や特開平７−１５０６６１号公報には、パネルの一部を水平姿勢まで倒し回動可能とすることにより、パネルを棚板として使用することが記載されている。
【０００４】
また、特開平６−５７８５６号公報には、間仕切装置の内部の空間を物品収納部となし、この物品収納部を水平回動式のパネルで開閉自在に塞ぐことが記載されている。
【０００５】
【発明が解決しようとする課題】
このように間仕切装置に回動式パネルを設ける場合、間仕切装置の組み立て作業の容易性が要請される。また、回動式パネルを棚板に兼用する場合、回動式パネルには大きな荷重が掛かることがあるため、強度確保も要請される。
【０００６】
しかし、前記した各公報の従来技術は、単にパネルを棚板に利用するというアイデアを呈示する程度に過ぎず、商品化するに当たって必要となる上記の要請に応えているとは言い難い。
【０００７】
本発明は、このような現状を改善することを目的とするものである。
【０００８】
【課題を解決するための手段】
本願発明において、間仕切装置は、まず、左右に立設した縦枠材と上下複数本の横枠材とでメインフレームを構成し、前記左右の縦枠材と上下の横枠材とで囲われた内側に、上下に配置された上部材と下部材とを有するインナーフレームが配置されており、前記インナーフレームをメインフレームに固定すると共に、インナーフレームの下部材に回動式パネルを起立姿勢から水平姿勢まで姿勢変更させ得るように取り付けている。
【０００９】
そして、前記インナーフレームの下部材は、当該下部材の下方に配置された横枠材に上方から嵌まり込んでいる一方、前記インナーフレームを構成する上部材は内部に物品を収納し得るように前向き開口の箱状に形成されており、起立状態の前記回動式パネルによって上部材が塞がれるようになっている。
【００１０】
本願発明で、請求項２に記載したように、インナーフレームにおけるインナーフレームのうちその下部でかつ手前側の部分に、上向きに突出した下部起立片を設けるのが好適である。
【００１１】
本発明では、回動式パネルは棚板に兼用することには限らず、書見台や筆記可能な簡易天板として使用することも可能である。
【００１２】
【発明の作用・効果】
本発明によると、例えば回動式パネルをインナーフレームに予め取り付けておくことにより、インナーフレームと回動式パネルとがユニット化されるため、間仕切装置の組み立て作業を能率良く行うことが可能になる。
【００１３】
また、回動式パネルはインナーフレームに取付けるものであるため、回動式パネルを例えば固定式パネルに取り付けた場合に比べて取り付け強度を向上することができ、更に、インナーフレームによってメインフレームが補強されるため、間仕切装置全体として堅牢な構造になる。このため、パネルを棚板として使用する場合のように回動式パネルに大きな荷重がかかる場合であっても、信頼性（高い強度）を確保することができる。
【００１４】
また、回動式パネルはインナーフレームの下部材に取り付けられているため、物品収納機能を有する上部材に蝶番が露出することを防止できるため、美感や安全性に優れている利点もある。請求項２のように構成すると、インナーフレームの上部材に収納した物品が転がり出することを防止できる。
【００１５】
【発明の実施形態】
次に、本発明の実施形態を図面に基づいて説明する。
【００１６】
(1).第１実施形態の概略
図１〜図７では第１実施形態を示している。このうち図１は設置状態の概略を示す概斜視図、図２は間仕切装置１の単体の正面図であり、間仕切装置１は、その複数個が全体として平面視でＬ字状やＴ字状、或いは十字状などに接続されることによって自立している。
【００１７】
なお、このような自立式（衝立式）の間仕切群を構成する場合、本発明に係る間仕切装置（回動式パネルを備えた間仕切装置）１と、回動式パネルを備えていない通常の間仕切装置とを併設しても良いことは言うまでもない。
【００１８】
間仕切装置１は、左右の縦枠材３と上中下３本の横枠材４とからなるメインフレーム２を備えている。最下段の横枠材４は縦枠材３の下端よりもやや上方に配置されている。なお、上段の横枠材を笠木に兼用し、最下段の横枠材を巾木に兼用することも可能である。
【００１９】
メインフレーム２の表面側には、上から順に２枚ずつの固定式パネル５と棚板を兼用する回動式パネル６とが交互に配置されており、メインフレーム２の裏面側には４枚の固定式パネル５が配置されている。各パネル５，６は左右横長に形成されている。なお、ここで「固定式パネル」とは回動式でないという意味であり、着脱の容易性とは関係ない概念である。
【００２０】
回動式パネル６はメインフレーム２に固定されたインナーフレーム７に取り付けられており、インナーフレーム７の箇所は物品収納部になっている。また、回動式パネル６の上端部には把手８を設けている。
【００２１】
(2).間仕切装置の基本構造
図３のうち（Ａ）はメインフレーム２の一部破断斜視図、（Ｂ）は固定式パネル５の部分斜視図、図４は図２のIV−IV視断面図、図５は図２の V-V視断面図であり、まず、これらの図に基づいて間仕切装置１の基本構造を説明する。
【００２２】
メインフレーム２の縦枠材３は、中空角形で下端にはアジャスターボルト９を取り付けている芯材（補強材）１０と、これを外側から囲う平断面略四角形の外部材１１とから成っている。外部材１１には、間仕切装置１の端面に位置する縦溝１２が形成されている。外部材１１と芯材１０とは縦溝１２の箇所においてねじ１３で締結しているが、スポット溶接等の溶接によって一体化したり、ねじ止めと溶接とを併用するなどしてもよい。
【００２３】
外部材１１の前後幅寸法は芯材１０のそれよりも遥かに大きくなっており、このため、外部材１１の前後両面と芯材１０との間に空間が空いている。芯材１０は外部材１１の内側面よりも若干の寸法だけ内側に突出している。各横枠材４は、芯材１０と同じ前後幅寸法の中空角形になっており、溶接によって縦枠材３の芯材１０に固着している。
【００２４】
固定式パネル５は鋼板製でその四周はコ字状に折り返されており、左右の折り返し部５ａの裏面に上下複数個の係止爪１４を設けて、この係止爪１４を、縦枠材３における外部材１１の表面部及び裏面部に形成した係合穴１５に落とし込んでいる。
【００２５】
図では係止爪１４を固定式パネル５に一体に形成した状態に描いているが、係止爪１４を固定式パネル５とは別部材に分離構成し、これを係合穴１５に嵌め込み装着してから、係止爪１４に固定式パネル５を引っ掛け装着するなどしても良い。
【００２６】
また、固定式パネル５はねじ止め等の他の手段によってメインフレーム２に取り付けても良いことは言うまでもない。更に、固定式パネル５は金属板製（スチール製）としているが、木製や合板製など、様々の断面構造を選択できる。縦枠材３や横枠材４も、押し出し加工品とするなど様々の構造を採用できる。
【００２７】
本実施形態では、縦枠材３の芯材１０は上下に一連に延びているが、外部材１１は回動式パネル６よりもやや下方の部位において上下に分断されている。これは、縦枠材３の箇所で電源や通信用のケーブル類・コード類を左右に配線可能な配線通路を形成するためである。ケーブル・コード類は、表裏の固定式パネル５の間の空間を介して隣合った間仕切装置１の間に配線することができる。
【００２８】
ケーブル類・コード類を挿通するために外部材１１を上下に分断して形成した配線通路の位置は図示の部分には限らず、例えば各パネル５，６の箇所に対応して形成するなど、任意の高さ位置に任意の数だけ形成できる。
【００２９】
(3).回動式パネル
次に、図６及び図７に基づいて回動式パネル６の取り付け構造を説明する。図６は部分的な破断斜視図、図７のうち（Ａ）は図６のVIIA-VIIA 視断面図、（Ｂ）は分離した状態での側断面図である。
【００３０】
回動式パネル６は本実施形態では木材や合板のような木質系素材からなっている。他方、インナーフレーム７は、中段及び下段の横枠材４に上方から嵌まり込む下部材１７と、その上方に配置した上部材１８とからなっており、下部材１７はビス１９で横枠材４に固定されている。
【００３１】
また、下部材１７の上面に蝶番２０の固定片２０ａを皿ビス２１で締結し、蝶番２０の可動片２０ｂを回動式パネル６の上面に皿ビス２１で締結している。蝶番２０の可動片２０ｂと回動式パネル６とが同一面となるように、回動式パネル６には凹所２２を形成している。
【００３２】
インナーフレーム７の上部材１８は前向きに開口した箱状に形成されており、このため、上部材１８は小物を収納できる物品収納部として機能する。この場合、上部材１８における下端の前端縁に上向きの下部起立片１８ａを設けることにより、収納した物品が転がり出ないように配慮されている。また、上端の前端縁には上部起立片１８ｂを設けている。
【００３３】
上部材１８の左右内側面と回動式パネル６とはリンク装置２４によって連結されている。リンク装置２４は、屈曲自在に連結された第１及び第２のリンク杆２５，２６と、第１リンク杆２５が回動自在に取付いたダンパー機能部２７とを備えており、ダンパー機能部２７は、スペーサ板２８にビスで固定されている。スペーサ板２８は、インナーフレーム７の上部材１８とメインフレーム２における縦枠材３の芯材１０とにビス２９で締結されている。なお、図５ではリンク装置は省略している。
【００３４】
第２リンク杆２６の先端は、回動式パネル６に締結されたブラケット３０に回動自在に取り付けられている。第１リンク杆２５は下向きに開口した断面コ字状に形成されており、第２リンク杆２６の基端部は第１リンク杆２５の内部に入り込んでいる。
【００３５】
このため、回動式パネル６を水平状に倒し回動した状態では、両リンク杆２５，２６は直線状に延びた状態が保持される一方、回動式パネル６を直立状（起立姿勢）に跳ね上げ回動させると、両リンク杆２５，２６は図７（Ａ）に一点鎖線で示すように屈曲する。
【００３６】
回動式パネル６を直立状に跳ね上げ回動した状態を保持する手段としては、例えば、図７（Ａ）に示すように、回動式パネル６の前端縁（起立状態では上端縁）に軟質の縁部材３２を設けて、この縁部材３２を上方に位置した固定式パネル５の下端縁に弾性的に当接させることが考えられる。
【００３７】
また、図７（Ａ）に示すように、回動式パネル６の前端部に、インナーフレーム７における上部材１８の上部起立片１８ｂや左右縦枠材３に密着する磁石３３を埋設しても良い。勿論、スナップ係合式の他の係合手段を採用しても良い。
【００３８】
更に、本実施形態のように姿勢保持手段としてダンパー機能付きのリンク装置２４を使用する場合、ダンパー機能部２７に、ある程度の力を掛けないと回動式パネル６を手前に倒せないような抵抗機能を保持せしめても良いのであり、この場合は、ダンパー機能部２７で起立姿勢を保持することになる。
【００３９】
図５に一点鎖線で示すように、インナーフレーム７における上部材１８の内面に電源用コンセントや通信線用コネクタ類などのケーブル類接続具Ｃを設けることも可能である。このようにすると、回動式パネル６に電話機やディスプレー類のような電気・電子製品を載置したり、上部材１８の内部に例えば壁掛けテレビ等の電気・電子製品を格納したりする場合に便利である。
【００４０】
インナーフレーム７の上部材１８にケーブル類接続具Ｃを設ける場合は、前記したように、縦枠材３に配設通路を設けて縦枠材３の箇所からケーブルを引き込んでも良いし、中段の横枠材４と固定式パネル５との間の隙間からケーブル類を上方に引き込むなどしても良い。
【００４１】
(4).まとめ
以上の構成において、インナーフレーム７と回動式パネル６とリンク装置２４とはユニット化しておくことができるため、間仕切装置１を能率良く組み立てることが可能となる。
【００４２】
また、本実施形態では、インナーフレーム７は左右縦枠材３の間にすっぽり嵌まる構造であるため、間仕切装置１の各部材をユニット化しておかなくても、従来のように固定式パネルの一部をくり抜いた状態で回動式パネルを取付ける場合に比べて、組み立て作業を能率良く行うことができる。
【００４３】
更に、本実施形態では、インナーフレーム７は左右の縦枠材３と１本の横枠材４に固定されているため、インナーフレーム７がメインフレーム２の補強の役割を果たすことになり、その結果、間仕切装置１を頑丈な構造とすることができる。
【００４４】
実施形態のようにインナーフレーム７の上部材１８に下部起立片１８ａを設けると、メインフレーム２の内部を物品収納部となすにおいて物品が転げ出ることを防止できる利点がある。
【００４５】
また、回動式パネル６の後方を固定式パネル５で覆うと、回動式パネル６は間仕切装置１の裏側には露出しないため、美感を損なわない。この場合、固定式パネル５を金属板製としてその周囲に折り返し部を構成すると、図５や図７（Ａ）から明らかなように、インナーフレーム７の上部材１８はメインフレームにおける縦枠材３の後面よりも後方まで延ばすことができるため、物品の収納容積をできるだけ大きくできる利点がある。
【００４６】
固定式パネル５の表面と、回動式パネル６のうち起立状態で表面となる部分とにクロスのような化粧材を貼っても良い。或いは、同じ色の塗装を施してもよい。また、回動式パネル６の指掛け手段としては、表面から突出した把手８を設けることに代えて引き手穴を設けても良い。
【００４７】
本実施形態のように横枠材４にインナーフレーム７（の下部材１７）を上方から嵌め込む構成にすると、インナーフレーム７が正確に位置決めされるため、組み立て作業の能率向上により貢献できる。
【００４８】
(5).第２実施形態（図８）
図８では、第１実施形態の変形例である第２実施形態を示している。すなわち、この実施形態では、インナーフレーム７における下部材１７の上面に、蝶番２０の固定片２０ａが重なる段部１７ａを形成したものである。
【００４９】
この例では、インナーフレーム７の上部材１８と下部材１７とを左右全長にわたって密着させることができるため、上部材１８の安定性が向上すると共に、間仕切装置１の表裏両側に光が透過することを確実に遮断できる利点がある。
【００５０】
この図８に一点鎖線で示すように、下部材１７の前面を手前側に位置させることにより、蝶番２０の固定片２０ａを下部材１７の前面に締結しても良い。また、インナーフレーム７の上下部材１７をビス等で締結したり、スポット溶接によって一体化したりすることも可能である。
【００５１】
(6).第３実施形態（図９）
図９に示す第３実施形態も第１実施形態の変形例であり、この実施形態では、回動式パネル６の左右両側部を金属板製の補強部材３５で被包し、この補強部材３５にブラケット３０を締結している。
【００５２】
このようにすると、回動式パネル６に大きな荷重が作用してもブラケット３０が剥がれるようなことはなく、物品の支持強度を格段に向上できる利点がある。なお、ブラケット３０を補強部材３５に一体に曲げ形成しても良い。一点鎖線で示すように、回動式パネル６にクロス類６ａを貼っても良い。
【００５３】
(7).第４実施形態（図10）
図１０では、回動式パネル６を跳ね上げ回動させた状態で固定式パネルとの間の空間を塞ぐ目地部材の例を示している。このうち（Ａ）では、回動式パネル６の前端（上端）に、弾性素材より成る中空状目地部材３６を装着している。
【００５４】
他方、（Ｂ）では、回動式パネル６の基端部（下端部）に合成樹脂のような弾性板よりなる板状目地部材３７を取り付けている。これらの目地部材３６，３７は固定式パネル５に取り付けても良い。
【００５５】
【００５６】
【００５７】
【００５８】
(8).第５実施形態（図11）
図１１に示す第５実施形態では、回動式パネル６の下端面６ｂとその下方に位置した固定式パネル５の上端面５ｂとが、回動式パネル６を跳ね上げた状態で側面視９０°の角度を成すように設定している。このため、回動式パネル６の回動機能を損なうことなく、回動式パネル６と固定式パネル５との間に隙間が空くことを防止又は抑制できる利点がある。
【００５９】
(9).第６実施形態（図12）
第１実施形態では、パネル群５，６が左右縦枠材３の前面と後面とに重なるようになっていたが、図１２に第６実施形態として示すように、左右縦枠材３の間にパネル群５，６を入り込ませることも可能である。
【００６０】
【００６１】
【００６２】
【００６３】
【００６４】
(10)．第７実施形態（図13）
図１３では、回動式パネル６を水平状に保持する姿勢保持手段の別例である第７実施形態を示している。
【００６５】
すなわち、この実施形態では、水平状に倒した状態での回動式パネル６の左右側部上面に、その左右側端縁を中心にして起伏回動するようにブラケット板４０を蝶番４１にて取り付け、ブラケット板４０のうち回動式パネル６の付け根側に位置した部位に頭付き係合ピン４２を突設する一方、縦枠材３の内側部に、ブラケット板４０を左右外側に向けて起こすと前記ピン４２が係合する係合穴（図示せず）を設けている。
【００６６】
(11)．その他
本発明は、上記の実施形態の他にも様々に具体化することができる。
【００６７】
例えば、固定式パネルと回動式パネルとの配置態様は、図示した例以外の様々のパターンを採用することができる。複数のパネルを回動式とする場合、幅寸法（起立状態での上下高さ寸法）を異ならせても良い。また、一つのインナーフレームに複数の回動式パネルを左右に並設した状態で取り付けても良い。
【００６８】
また、本発明の適用対象は自立式（衝立式）の間仕切装置には限らず、支柱（縦枠材）を床と天井との間に突っ張らせたタイプの間仕切装置にも適用することができる。
【００６９】
また、本発明の間仕切装置は、オフィスに設置することには限らず、例えば商店や公共施設における物品（商品）展示装置として使用することも可能である。また、パネルは棚板として使用することには限らず、間仕切装置の内部に設けた収納空間の扉又はカバーとして機能させるなどしても良い。
【００７０】
更に、間仕切装置にブラケットを介して机天板を取り付けて、机付き間仕切（或いは間仕切付き机）として使用することも可能である。もちろん、回動式パネルを机天板として使用することも可能である（この場合は、水平状に倒した回動式パネルを脚で支持するのが好ましい）。
【００７１】
【図面の簡単な説明】
【図１】第１実施形態に係る間仕切装置の設置状態の概略斜視図である。
【図２】間仕切装置の単体の正面図である。
【図３】 (A)はメインフレームの一部破断斜視図、 (B)は固定式パネルの部分斜視図である。
【図４】図２のIV−IV視断面図である。
【図５】図２の V-V視断面図である。
【図６】要部の破断斜視図である。
【図７】 (A)は図６のVIIA-VIIA 視断面図、 (B)は回動式パネルの取り付け構造を示す分離側断面図である。
【図８】第２実施形態を示す図である。
【図９】第３実施形態を示す図である。
【図10】第４実施形態を示す図である。
【図11】第５実施形態を示す図である。
【図12】第６実施形態を示す図である。
【図13】第７実施形態を示す図である。
【符号の簡単な説明】
１  間仕切装置
２  メインフレーム
３  縦枠材
４  横枠材
５  固定式パネル
６  回動式パネル
７  インナーフレーム
１７  インナーフレームの下部材
１８  インナーフレームの上部材
２０  蝶番
２４  水平姿勢保持手段の一例としてのリンク装置
３２  起立姿勢保持手段の一例としての弾性エッジ
【図１】
0003910110.tif 000002
【図２】
0003910110.tif 000003
【図３】
0003910110.tif 000004
【図４】
0003910110.tif 000005
【図５】
0003910110.tif 000006
【図６】
0003910110.tif 000007
【図７】
0003910110.tif 000008
【図８】
0003910110.tif 000009
【図９】
0003910110.tif 000010
【図１０】
0003910110.tif 000011
【図１１】
0003910110.tif 000012
【図１２】
0003910110.tif 000013
【図１３】
0003910110.tif 000014